【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信の方法において、
前記ＵＥの通信に対する制御情報を受信することと、
前記制御情報中に含まれている表示に少なくとも部分的に基づいて、前記通信がスロットベースのデータコンフィギュレーションまたは非スロットベースのデータコンフィギュレーションに関係するか否か決定することとを含む方法。
【請求項２】
前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている請求項１記載の方法。
【請求項３】
前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている請求項１記載の方法。
【請求項４】
前記通信がスロットベースのデータコンフィギュレーションまたは非スロットベースのデータコンフィギュレーションに関係するか否か決定することは、前記制御情報中の明示的な表示に少なくとも部分的に基づいている請求項１記載の方法。
【請求項５】
ワイヤレス通信のための装置において、
前記装置の通信に対する制御情報を受信する手段と、
前記制御情報中に含まれている表示に少なくとも部分的に基づいて、前記通信がスロットベースのデータコンフィギュレーションまたは非スロットベースのデータコンフィギュレーションに関係するか否か決定する手段とを具備し、
前記制御情報は、前記通信が、タイプＡ復調基準信号（ＤＭＲＳ）が使用されるスロットベースのデータコンフィギュレーションまたはタイプＢ  ＤＭＲＳが使用される非スロットベースのデータコンフィギュレーションに関係するか否かを示す表示を含み、前記表示が、前記通信がスロットベースのデータコンフィギュレーションまたは非スロットベースのデータコンフィギュレーションに関係するか否かを示す１つ以上のビットを含む装置。
【請求項６】
前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている請求項５記載の装置。
【請求項７】
前記通信がスロットベースのデータコンフィギュレーションまたは非スロットベースのデータコンフィギュレーションに関係するか否か決定することは、前記装置の無線リソース制御コンフィギュレーション、制御リソースセットコンフィギュレーション、または、サーチ空間コンフィギュレーションに少なくとも部分的に基づいている請求項５記載の装置。
【請求項８】
前記通信がスロットベースのデータコンフィギュレーションまたは非スロットベースのデータコンフィギュレーションに関係するか否か決定することは、前記制御情報中の明示的な表示に少なくとも部分的に基づいている請求項５記載の装置。
【請求項９】
前記さまざまな手段が、
メモリと、
前記メモリと通信可能に結合されている１つ以上のプロセッサとを具備するワイヤレス通信のためのユーザ機器（ＵＥ）内で具体化され、
前記メモリと前記１つ以上のプロセッサは、
前記ＵＥの通信に対する制御情報を受信し、
前記制御情報中に含まれている表示に少なくとも部分的に基づいて、前記通信が前記スロットベースのデータコンフィギュレーションまたは前記非スロットベースのデータコンフィギュレーションに関係するか否か決定するように構成されている請求項５記載の装置。
【請求項１０】
前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている請求項９記載の装置。
【請求項１１】
前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている請求項９記載の装置。
【請求項１２】
前記通信がスロットベースのデータコンフィギュレーションまたは非スロットベースのデータコンフィギュレーションに関係するか否か決定することは、前記制御情報中の明示的な表示に少なくとも部分的に基づいている請求項９記載の装置。
【請求項１３】
コンピュータ上で実行されるときに、先行する方法の請求項のいずれか１項記載の方法を実行するための命令を含むコンピュータプログラム。
【手続補正２】
【補正対象書類名】明細書
【補正対象項目名】０１１８
【補正方法】変更
【補正の内容】
【０１１８】
［００１２９］
ここで使用される要素、行為、または、命令は、そのように明示的に記載されていない限り、重要または必須であると解釈されるべきでない。また、ここで使用される場合、冠詞「ａ」および「ａｎ」は、１つ以上の項目を含むことを意図しており、「１つ以上」と互換的に使用されているかもしれない。さらに、ここで使用される場合、「セット」および「グループ」という用語は、１つ以上の項目（例えば、関連項目、無関係項目、関連項目および無関係項目の組み合わせなど）を含むことが意図され、「１つ以上」と互換的に使用されているかもしれない。ただ１つの項目が意図されている場合、「１つの」の用語またはこれに類する言語が使用されている。また、ここで使用される場合、「有する（ｈａｓ）」、「有する（ｈａｖｅ）」、「有する（ｈａｖｉｎｇ）」、および／または、これらに類するもの用語は、オープンエンドの用語であることが意図されている。さらに、「に基づく」という句は、別段の明示がない限り、「少なくとも部分的に基づいて」を意味することを意図している。
以下に、本願出願の当初の特許請求の範囲に記載された発明を付記する。
［１］  ユーザ機器（ＵＥ）によって実行されるワイヤレス通信の方法において、
前記ＵＥの通信に対する制御情報を受信することと、
前記制御情報に少なくとも部分的に基づいて、前記制御情報がスロットベースの制御コンフィギュレーションまたは非スロットベースの制御コンフィギュレーションに関係するか否かを決定すること、
または、
前記通信がスロットベースのデータコンフィギュレーションまたは非スロットベースのデータコンフィギュレーションに関係するか否か決定することとを含む方法。
［２］  前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている［１］記載の方法。
［３］  前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている［１］記載の方法。
［４］  前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている［１］記載の方法。
［５］  前記通信がスロットベースのデータコンフィギュレーションまたは非スロットベースのデータコンフィギュレーションに関係するか否か決定することは、前記制御情報中の明示的な表示に少なくとも部分的に基づいている［１］記載の方法。
［６］  ワイヤレス通信のためのユーザ機器（ＵＥ）において、
メモリと、
前記メモリと通信可能に結合されている１つ以上のプロセッサとを具備し、
前記メモリと前記１つ以上のプロセッサは、
前記ＵＥの通信に対する制御情報を受信し、
前記制御情報に少なくとも部分的に基づいて、前記制御情報がスロットベースの制御コンフィギュレーションまたは非スロットベースの制御コンフィギュレーションに関係するか否かを決定し、
または、
前記通信がスロットベースのデータコンフィギュレーションまたは非スロットベースのデータコンフィギュレーションに関係するか否か決定するように構成されているＵＥ。
［７］  前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている［６］記載のＵＥ。
［８］  前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている［６］記載のＵＥ。
［９］  前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている［６］記載のＵＥ。
［１０］  前記通信がスロットベースのデータコンフィギュレーションまたは非スロットベースのデータコンフィギュレーションに関係するか否か決定することは、前記制御情報中の明示的な表示に少なくとも部分的に基づいている［６］記載のＵＥ。
［１１］  ワイヤレス通信のための命令を記憶している非一時的コンピュータ読取可能媒体において、
前記命令は、ユーザ機器（ＵＥ）の１つ以上のプロセッサにより実行されるとき、前記１つ以上のプロセッサに、
前記ＵＥの通信に対する制御情報を受信させ、
前記制御情報に少なくとも部分的に基づいて、前記制御情報がスロットベースの制御コンフィギュレーションまたは非スロットベースの制御コンフィギュレーションに関係するか否かを決定させ、
または、
前記通信がスロットベースのデータコンフィギュレーションまたは非スロットベースのデータコンフィギュレーションに関係するか否か決定させる１つ以上の命令を含む非一時的コンピュータ読取可能媒体。
［１２］  前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている［１１］記載の非一時的コンピュータ読取可能媒体。
［１３］  前記通信がスロットベースのデータコンフィギュレーションまたは非スロットベースのデータコンフィギュレーションに関係するか否か決定することは、前記ＵＥの無線リソース制御コンフィギュレーション、制御リソースセットコンフィギュレーション、または、サーチ空間コンフィギュレーションに少なくとも部分的に基づいている［１１］記載の非一時的コンピュータ読取可能媒体。
［１４］  前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている［１１］記載の非一時的コンピュータ読取可能媒体。
［１５］  前記通信がスロットベースのデータコンフィギュレーションまたは非スロットベースのデータコンフィギュレーションに関係するか否か決定することは、前記制御情報中の明示的な表示に少なくとも部分的に基づいている［１１］記載の非一時的コンピュータ読取可能媒体。
［１６］  ワイヤレス通信のための装置において、
前記装置の通信に対する制御情報を受信する手段と、
前記制御情報に少なくとも部分的に基づいて、前記制御情報がスロットベースの制御コンフィギュレーションまたは非スロットベースの制御コンフィギュレーションに関係するか否かを決定する手段、
または、
前記通信がスロットベースのデータコンフィギュレーションまたは非スロットベースのデータコンフィギュレーションに関係するか否か決定する手段とを具備する装置。
［１７］  前記制御情報がスロットベースの制御コンフィギュレーションまたは非スロットベースの制御コンフィギュレーションに関係するか否かを決定することは、前記制御情報が受信されるべきサーチ空間に関係する監視機会に少なくとも部分的に基づいている［１６］記載の装置。
［１８］  前記通信がスロットベースのデータコンフィギュレーションまたは非スロットベースのデータコンフィギュレーションに関係するか否か決定することは、前記装置の無線リソース制御コンフィギュレーション、制御リソースセットコンフィギュレーション、または、サーチ空間コンフィギュレーションに少なくとも部分的に基づいている［１６］記載の装置。
［１９］  前記通信がスロットベースのデータコンフィギュレーションまたは非スロットベースのデータコンフィギュレーションに関係するか否か決定することは、ダウンリンク制御情報（ＤＣＩ）における表示に少なくとも部分的に基づいている［１６］記載の装置。
［２０］  前記通信がスロットベースのデータコンフィギュレーションまたは非スロットベースのデータコンフィギュレーションに関係するか否か決定することは、前記制御情報中の明示的な表示に少なくとも部分的に基づいている［１６］記載の装置。